(57)【要約】【課題】  構造が簡単で且つ操作が簡単である手品具を提供すること。【解決手段】  手品具外部から挿入される紙幣やカード類を収容するための収容凹部３２が手品具内部に形成され、また、前記収容凹部３２に挿入された紙幣やカード類を、モアレ現象によりつくり出された三次元模様によって奥行きを感じさせる効果を有する特殊板２０を介して手品具外部より視認可能とする開窓部１２と、挿入された前記紙幣やカード類と前記特殊板２０との間に配置され、透明部分と不透明部分とからなるフィルム３３とが備えられ、さらに、前記フィルム３３が、前記紙幣やカード類の上を移動するよう構成されている。【選択図】  図１
2005080754.tif 000002
【特許請求の範囲】
【請求項１】
手品具外部から挿入される、或いは予め挿入された紙幣やカード類を収容する空間である収容凹部が、手品具内部に形成され、
前記収容凹部に挿入された紙幣やカード類を、奥行きを感じさせる効果を有する特殊板を介して手品具外部より視認可能とする開窓部と、
挿入された前記紙幣やカード類と前記特殊板との間に配置され、透明部分と不透明部分とからなるフィルムと、
が備えられ、
前記フィルムは、前記紙幣やカード類の上を移動するよう構成されている
ことを特徴とするカード類トリック手品具。
【請求項２】
前記収容凹部は、手品具内部に平行に備えられた２本のローラの間に形成され、
前記フィルムは、前記２本のローラに取り付けられ、当該ローラを介してフィルム全体を動かすことにより、前記フィルムが、前記紙幣やカード類の上を移動するよう構成されている
ことを特徴とする請求項１に記載のカード類トリック手品具。
【請求項３】
前記フィルムは、前記紙幣やカード類の挿入方向と直交する方向に前記収容凹部を囲い、且つ前記フィルムの裏側通過部分が前記収容凹部と手品具の底面との間を通過するように前記２本のローラ間に掛け回され、
さらに、手品具の底面には前記フィルムの裏側通過部分を露出させる操作用開窓部が備えられており、
操作者が、前記フィルムの裏側通過部分を前記ローラの軸方向と略直交する方向に指で動かすことで、前記ローラを介して前記フィルム全体を動かすことができるよう構成されている
ことを特徴とする請求項２に記載のカード類トリック手品具。
【発明の詳細な説明】
【技術分野】
【０００１】
本発明は、紙幣やカード類を使う手品具であって、特に箱の中に差し込まれた紙幣やカード類が観覧者の目の前で少しずつ消失したり、消失部分が目の前で少しずつ出現したりする錯覚を観覧者に与えることのできるカード類トリック手品具に関するものである。
【背景技術】
【０００２】
従来、紙幣やカード類に限らず、ある対象物を箱の中に収納して蓋を閉じた後に再度この蓋を開けると、箱の中にあるはずの当該対象物が一瞬にして消失し、また蓋を閉じてから再度蓋を開けると、先程消失していた当該対象物が再び箱の中に出現する、という手品を行うための手品具は存在している。
【０００３】
尚、上記の従来の手品具は公然実施されているものであり、本特許出願人は実施されている上記手品具を所有する、あるいは上記手品具を目撃してはいるが、これら従来技術が記載されている先行技術文献については所有していないため、本願発明に関する先行技術文献については開示していない。
【発明の開示】
【発明が解決しようとする課題】
【０００４】
しかしながら、従来のように、一旦箱に蓋をして対象物を観覧者から見えないように隠す動作を経て、ある対象物を消失させたり出現させたりするのではなく、対象物を観覧者の目の前で少しずつ消失させたり、対象物における消失した部分を目の前で少しずつ出現させたりする手品を行うための手品具は、今までに存在しなかった。ましてや、このような手品を行うための手品具であって、構造が簡単であり且つ操作も簡単に行えるものは存在しない。
【０００５】
そこで本発明の目的は、紙幣やカード類を使う手品具であって、箱の中に差し込まれた紙幣やカード類が目の前で少しずつ消失したり、消失した部分が目の前で少しずつ出現したりする錯覚を観覧者に与える手品を行うためのものであって、構造が簡単であり且つ操作も簡単に行えるカード類トリック手品具を提供することにある。
【課題を解決するための手段】
【０００６】
上記目的を達成するために、本発明のカード類トリック手品具は、手品具外部から挿入される紙幣やカード類を収容するための収容凹部が手品具内部に形成され、また、前記収容凹部に挿入された紙幣やカード類を、モアレ現象によりつくり出された三次元模様によって奥行きを感じさせる効果を有する特殊板を介して手品具外部より視認可能とする開窓部と、挿入された前記紙幣やカード類と前記特殊板との間に配置され、透明部分と不透明部分とからなるフィルムとが備えられ、さらに前記フィルムは、前記紙幣やカード類の上を移動するよう構成している。
【０００７】
また、上記カード類トリック手品具において、前記収容凹部が、手品具内部に平行に備えられた２本のローラの間に形成され、また前記フィルムが、前記２本のローラに取り付けられ、当該ローラを介してフィルム全体を動かすことにより、前記フィルムが、前記紙幣やカード類の上を移動するよう構成しても良い。
【０００８】
さらに、上記カード類トリック手品具において、前記フィルムは、前記紙幣やカード類の挿入方向と直交する方向に前記収容凹部を囲い、且つ前記フィルムの裏側通過部分が前記収容凹部と手品具の底面との間を通過するように前記２本のローラ間に掛け回され、さらに、手品具の底面には前記フィルムの裏側通過部分を露出させる操作用開窓部が備えられ、操作者が、前記フィルムの裏側通過部分を前記ローラの軸方向と略直交する方向に指で動かすことで、前記ローラを介して前記フィルム全体を動かすことができるよう構成しても良い。
【発明の効果】
【０００９】
本発明のカード類トリック手品具によれば、箱の中に差し込まれた紙幣やカード類が目の前で少しずつ消失したり、消失した部分が目の前で少しずつ出現したりするという不可思議さを観覧者に与えることができる。さらに、本発明のカード類トリック手品具は、構造が簡単であり且つ操作も簡単に行えるため、熟練したテクニックがない子供でも、本発明のカード類トリック手品具を用いて容易に手品を行うことができる、といった利点もある。
【発明を実施するための最良の形態】
【００１０】
以下、本発明のカード類トリック手品具の一実施形態について、図面を参照して説明する。
【００１１】
［カード類トリック手品具の構成］
まず、本実施形態のカード類トリック手品具１の構成を図１から図４を参照して説明する。本実施形態のカード類トリック手品具１は、図２に示すように、フレームケース１０と、特殊板２０と、基台３０とから構成されている。次に、このカード類トリック手品具１の各構成要素について説明する。
【００１２】
［フレームケース］
前記フレームケース１０は、前記基台３０に覆設可能な構造となっている。そして、このフレームケース１０の少なくとも１つの側壁には、図２のように後述の如く紙幣やカード類を挿入するための挿入口１１が設けられている。また、当該フレームケース１０の上面（表側の面）には、挿入された紙幣やカード類を観覧者が視認可能とするための開窓部１２が設けられている。
【００１３】
［特殊板］
前記特殊板２０は、当該特殊板２０上に三次元模様をつくり出すものである。この特殊板２０を観覧者が表面から見た場合、観覧者には、この三次元模様は奥行きがあり当該特殊板２０の表面よりも沈んだ感じに見え、立体感があるように見える。尚、本実施形態では、斑点状の三次元模様をつくり出すが、この三次元模様の形態は任意に選定可能である。また、このような効果を奏する特殊板としては、例えばモアレ現象によって三次元模様をつくり出す特許第３１３１７７１号に記載のものがある。
【００１４】
［基台］
前記基台３０には、２本のローラ３１が、当該ローラ３１の軸方向が平行となるように取り付けられている。そして、このように取り付けられた各ローラ３１の間に、後述の如く挿入される紙幣やカード類を収容するための収容凹部３２が形成されている。また、これら２本のローラ３１間には、透明部分と不透明部分とからなるフィルム３３が、図２や図３のように、ローラの軸方向と直交する方向に前記収容凹部を囲い、且つ前記フィルム３３の裏側通過部分が前記収容凹部と手品具の底面との間を通過するようにローラ３１間に掛け回されている。具体的には、このフィルム３３の表側通過部分が前記収容凹部３２を覆い、且つ裏側通過部分が前記収容凹部３２と基台３０の底面（裏面）との間を通るように、２本のローラ３１間に掛け回されている。
【００１５】
さらに、このフィルム３３の裏側通過部分を露出させる操作用開窓部３４が、図４のように前記基台３０の底面に設けられている。これにより操作者は、フィルム３３の裏側通過部分をローラ３１の軸方向と略直交する方向に指で動かすことができ、その結果、ローラ３１を介してこのフィルム３３全体を動かすことができるようになる。
【００１６】
尚、本実施形態では、このフィルム３３として、透明のフィルムにグラデーションの模様が施されたフィルム（以下、グラデーションフィルムという）を使用するものとして、以下説明することとする。また、このフィルム３３に施される不透明部分やグラデーション模様の色は、前記収容凹部３２の底面の色と同一にする必要がある。
【００１７】
［各構成要素の組み立て］
そして、以上のような構造の各構成要素を、次のように組み立てることにより、図１に示すカード類トリック手品具１が完成する。
【００１８】
まず、上記のような構造の基台３０の上に特殊板２０を載せる。次に、この特殊板２０の載った前記基台３０に、前記フレームケース１０を上方から覆設する。このとき、前記フレームケース１０に設けられた挿入口１１が前記収容凹部３２の側面の開口部分に位置するように、当該フレームケース１０を基台３０に覆設する。このような手順により、前記収容凹部３２は、図３に示すように、下からグラデーションフィルム３３、特殊板２０、開窓部１２の順で覆われた状態となる。以上のように組み立てられることにより、図１に示すカード類トリック手品具１が完成する。
【００１９】
尚、本実施形態において前記特殊板は前記フレームケースと別体となっているが、この特殊板は、前記フレームケースの開窓部に嵌め込まれる構成となっていても良い。
【００２０】
［カード類トリック手品具の操作手順］
次に、上述のような構成のカード類トリック手品具１を用いた手品の操作手順の一例を、図５から図７を参照して説明する。尚、本実施形態では、紙幣１００を用いた手品の操作手順について説明する。
【００２１】
まず手品を始める前に、操作者は、操作用開窓部３４にて露出しているグラデーションフィルム３３の裏側通過部分を、ローラ３１の軸方向と略直交する方向に指で動かし、グラデーションフィルム３３において塗装されていない透明部分が、前記開窓部１２内に位置するようにしておく。そして、このような状態で操作者は、以下の手順で手品を始める。
【００２２】
まず操作者は、図５のように紙幣１００を挿入口１１からカード類トリック手品具１の中に挿入する。このとき、挿入した紙幣１００は前記収容凹部３２内に収容された状態となる。尚、本実施形態では、紙幣１００を若干折り曲げて挿入している。そして操作者は、観覧者に、開窓部１２内に見える紙幣１００を観察してもらう。尚、この操作において、始めに開窓部１２に蓋（図示せず）をしておき、この状態で紙幣１００を挿入し、しかる後に蓋を開けて観覧者に開窓部１２内に見える紙幣１００を観察してもらうようにしても良い。
【００２３】
このとき、開窓部１２内を観察する観覧者には、上述のような効果を奏する特殊板２０を介して紙幣１００が見えるため、開窓部１２内の紙幣１００が透けているように見えてしまう。
【００２４】
この原理について以下説明する。まず、開窓部１２内の紙幣１００は特殊板２０を介して視認可能であるが、この特殊板２０の上記効果によれば、この特殊板２０の三次元模様（本実施形態では斑点模様）は奥行きがあり当該特殊板２０の表面よりも奥に沈んだ感じに見えるため、観覧者には、開窓部１２内の紙幣１００に重なって見える斑点模様が、何れも紙幣１００よりも奥に存在するように見えてしまう。この原理により、観覧者には、開窓部１２内の紙幣１００が透けているように見えることとなる。
【００２５】
尚、このとき、開窓部１２内の紙幣１００と特殊板２０との間には、グラデーションフィルム３３の透明部分が存在している。
【００２６】
続いて操作者は、観覧者から見えないように、手品具１を把持する手の指を使い、操作用開窓部３４にて露出しているグラデーションフィルム３３の裏側通過部分を、ローラ３１の軸方向と略直交する方向に動かす。このような操作により、グラデーションフィルム３３全体がローラ３１を介して動き出し、グラデーションフィルム３３のグラデーション模様におけるぼかしの部分が徐々に開窓部１２内に移動してくる。
【００２７】
そして、このぼかし部分が開窓部１２内に見える紙幣１００と特殊板２０との間に入り込んでくると、観覧者には図６のように開窓部１２内の紙幣１００が徐々に（本実施形態では紙幣１００の下側から徐々に）消えていくように見え、さらに、ぼかし部分の内の色の濃い部分においては、完全に開窓部１２内の紙幣１００が消えてしまったかのように見えることとなる。
【００２８】
この原理について以下説明する。開窓部１２内の紙幣１００と特殊板２０との間に、収容凹部３２の底面と同色のぼかし部分が移動してくると、このぼかし部分により、開窓部１２内の紙幣１００が徐々に隠されていく。しかしこのとき、開窓部１２内に見える特殊板２０の斑点模様は、このぼかし部分によって隠されることはなく、常に同じ位置に存在しており、しかもこの斑点模様は当該特殊板２０の表面よりも奥に沈んだ感じで見え続けるため、観覧者には、あたかもこの開窓部１２内の紙幣１００が徐々に消えていくように見えることとなる。
【００２９】
そして、さらに指を使ってグラデーションフィルム３３全体を動かし続けると、開窓部１２内の紙幣１００はグラデーションフィルム３３の濃い色の部分によって全て隠されてしまうため、上述の原理により、最終的には図７のように、観覧者には開窓部１２内の紙幣１００が全て消えてしまったかのように見えるようになる。以上のようにして、観覧者に、自身の目の前で開窓部１２内の紙幣１００が徐々に消失したという錯覚を与えることができるようになる。
【００３０】
続いて、この状態から操作者は、これまでとは逆方向に指で操作用開窓部３４におけるグラデーションフィルム３３の裏側通過部分を動かし始める。すると今度は、完全に消えて見えなくなっていた開窓部１２内の紙幣１００が徐々に（本実施形態では紙幣１００の上側から徐々に）現れ始め、図６のような状態を経て、最終的には図５に示す挿入時のように、透けた状態ではあるが、開窓部１２内の紙幣１００が全て視認できるようになる。こうして観覧者には、上述の原理により、一度目の前で徐々に消失していった開窓部１２内の紙幣１００が再度徐々に目の前で出現してきた、という錯覚を与えることができるようになる。
【００３１】
尚、他の実施例として、手品具の構造を、例えば図８のようにしても良い。具体的には、図８の手品具１ａでは、上記実施形態におけるフレームケース１０と基台３０とが一体となった形態の本体ケース４０の上面（表側の面）に開窓部４１が設けられ、且つこの開窓部４１に、上記実施形態と同様の効果を奏する特殊板４２が嵌め込まれている。また、前記本体ケース４０の内部には、２本のローラ４３が、当該ローラ４３の軸方向が平行となるように取り付けられており、このように取り付けられた各ローラ４３の間に収容凹部４４が形成されている。また、ローラ４３の取り付けられている本体ケースの側壁に、このローラ４３の下を紙幣１００やカード類が貫通可能な貫通口４６が設けられている。さらに、前記２本のローラ４３間には上記実施形態と同様のフィルム４５が、図８（ｂ）のように、挿入された紙幣１００と特殊板４２との間を通るように掛けられている。そして以上のような構成にすることで、フィルム４５の不透明部分やグラデーション模様を、前記紙幣１００やカード類の挿入方向と平行な方向に移動させることもできるようになる。
【００３２】
また、上記実施形態では、操作者が指でフィルム３３を動かしているが、電動によりローラ３１を回転させて、フィルム３３を動かすようにしても良い。この場合には、例えば、ローラ３１を回動させるためのモータ及びこのモータを作動させる電池等の電源を手品具１に内蔵させ、且つこのモータの回転方向を変換できるスイッチを基台３０の底面部などに設けておく必要がある。これにより、操作者が観覧者に見えないように当該スイッチを操作してモータを作動させ、ローラ３１の回転を制御することにより、フィルム３３を動かすことが可能となるため、指をスムーズに動かすことができない初心者にとっても容易にこの手品具１の効果を達成することが可能となる。
【００３３】
また、上記実施形態では、フィルム３３を２本のローラを介して動かしているが、例えば、フィルム３３の端部、あるいはフィルム３３の端部に繋がっている糸などを手品具の外部に露出させておき、操作者が当該フィルム３３の端部、あるいは前記の糸などを把持して引っ張ることにより、フィルム３３を動かすようにしてもよい。
【図面の簡単な説明】
【００３４】
【図１】本発明のカード類トリック手品具を示す図である。
【図２】図１のカード類トリック手品具の構成要素を示す図である。
【図３】図１のカード類トリック手品具の内部構造を示す断面図である。
【図４】図１のカード類トリック手品具を裏面から見た図である。
【図５】本発明のカード類トリック手品具に、紙幣を挿入した状態を示す図である。
【図６】本発明のカード類トリック手品具の操作により、開窓部内の紙幣が徐々に消失するように見える過程を示す図である。
【図７】本発明のカード類トリック手品具の操作により、開窓部内の紙幣が完全に消失したように見える状態を示す図である。
【図８】本発明のカード類トリック手品具の他の実施例を示す図であり、図８（ａ）は他の実施例における基台の構成を示す図であり、図８（ｂ）は図８（ａ）の基台を用いた手品具に紙幣を挿入した状態を示す図である。
【符号の説明】
【００３５】
１…カード類トリック手品具、１０…フレームケース、１１…挿入口、１２…開窓部、２０…特殊板、３０，３０ａ…基台、３１…ローラ、３２…収容凹部、３３…フィルム（グラデーションフィルム）、３４…操作用開窓部、４０…本体ケース、４１…開窓部、４２…特殊板、４３…ローラ、４４…収容凹部、４５…フィルム、４６…貫通口、１００…紙幣。
【図１】
2005080754.tif 000003
【図２】
2005080754.tif 000004
【図３】
2005080754.tif 000005
【図４】
2005080754.tif 000006
【図５】
2005080754.tif 000007
【図６】
2005080754.tif 000008
【図７】
2005080754.tif 000009
【図８】
2005080754.tif 000010